(57)【要約】【課題】ファクス転送に関してユーザーの利便性を向上させる。【解決手段】ネットワークを介してサーバーに接続されたファクス装置であって、自身をファクス送信可能なデバイスとして登録させる登録要求を前記ネットワークを介して前記サーバーに送信し、登録済みのデバイスを指定したファクス送信要求を受信した前記サーバーから、前記ファクス装置を指定した前記ファクス送信要求を前記ネットワークを介して受信する通信部と、受信した前記ファクス送信要求に従ってファクス送信を行うファクス通信部と、を備え、前記通信部は、前記ファクス通信部がファクス受信した受信データをファクス送信する場合に、自身を指定したファクス送信要求を前記ネットワークを介して前記サーバーへ送信するファクス装置。【選択図】図９
2017212666.tif 000002
【特許請求の範囲】
【請求項１】
ネットワークを介してサーバーに接続されたファクス装置であって、
自身をファクス送信可能なデバイスとして登録させる登録要求を前記ネットワークを介して前記サーバーに送信し、登録済みのデバイスを指定したファクス送信要求を受信した前記サーバーから、前記ファクス装置を指定した前記ファクス送信要求を前記ネットワークを介して受信する通信部と、
受信した前記ファクス送信要求に従ってファクス送信を行うファクス通信部と、を備え、
前記通信部は、前記ファクス通信部がファクス受信した受信データをファクス送信する場合に、自身を指定したファクス送信要求を前記ネットワークを介して前記サーバーへ送信する、ことを特徴とするファクス装置。
【請求項２】
前記受信データをファクス送信する場合に、前記受信データを保持する保持部をさらに備え、
前記ファクス通信部は、前記サーバーから受信した前記ファクス送信要求に従って、前記保持された受信データをファクス送信することを特徴とする請求項１に記載のファクス装置。
【請求項３】
前記通信部は、前記受信データをファクス送信する場合に、前記受信データを前記ネットワークを介してアクセス可能な所定の記憶領域に保存し、自身の指定および前記保存した受信データの所在情報を含んだ前記ファクス送信要求を前記サーバーへ送信し、前記サーバーから受信した前記ファクス送信要求に含まれる前記所在情報に基づいて取得した受信データを前記ファクス通信部にファクス送信させることを特徴とする請求項１に記載のファクス装置。
【請求項４】
前記通信部は、前記受信データをファクス送信した送信結果を前記サーバーへ送信することを特徴とする請求項１〜請求項３のいずれかに記載のファクス装置。
【請求項５】
ファクス送受信機能を有するデバイスと、当該デバイスを制御するサーバーとがネットワークを介して接続されたファクスシステムであって、
前記デバイスは、自身をファクス送信可能なデバイスとして前記サーバーに登録し、
前記サーバーは、登録済みのデバイスを指定したファクス送信要求を受信した場合に、指定されたデバイスへ前記ファクス送信要求を送信し、
前記デバイスは、受信した前記ファクス送信要求に従ってファクス送信を実行可能であり、
さらに前記デバイスは、ファクス受信した受信データをファクス送信する場合に、自身を指定したファクス送信要求を前記サーバーへ送信する、ことを特徴とするファクスシステム。
【発明の詳細な説明】
【技術分野】
【０００１】
本発明は、ファクス装置およびファクスシステム装置に関する。
【背景技術】
【０００２】
ネットワークに接続されたサーバーを利用してプリンターに印刷を実行させる技術が開示されている（特許文献１）。当該文献には、端末装置がサーバーにデータを送信し、プリンターが当該サーバーから送信されたデータを受信し、印刷することで、当該サーバーが受信したデータをプリンターが印刷する技術が示唆されている。また、このようなサーバーの一例として、Google（登録商標） Cloud Print（以下、ＧＣＰ）と呼ばれるインターネット上のサービスを提供するサーバーが挙げられている。
【先行技術文献】
【特許文献】
【０００３】
【特許文献１】特開２０１６‐２１０９０号公報
【発明の概要】
【発明が解決しようとする課題】
【０００４】
ファクス（あるいはファクシミリ）は、ファクス受信した受信データを特定の送信先へファクス送信する処理（ファクス転送）を実行可能である。ユーザーは、このようなファクス転送に関する情報を、離れた場所からネットワークを通じて確認したいとの要望を有している。前記文献は、このような要望に応える技術を開示するものではない。
【０００５】
本発明は上述の課題に鑑みてなされたものであり、ファクスのユーザーの利便性を向上させるファクス装置およびファクスシステムを提供する。
【課題を解決するための手段】
【０００６】
本発明の態様の１つは、ネットワークを介してサーバーに接続されたファクス装置であって、自身をファクス送信可能なデバイスとして登録させる登録要求を前記ネットワークを介して前記サーバーに送信し、登録済みのデバイスを指定したファクス送信要求を受信した前記サーバーから、前記ファクス装置を指定した前記ファクス送信要求を前記ネットワークを介して受信する通信部と、受信した前記ファクス送信要求に従ってファクス送信を行うファクス通信部と、を備え、前記通信部は、前記ファクス通信部がファクス受信した受信データをファクス送信する場合に、自身を指定したファクス送信要求を前記ネットワークを介して前記サーバーへ送信する。
【０００７】
当該構成によれば、ファクス装置はファクス受信したとき、自身を指定したファクス送信要求をサーバーへ送信することにより、サーバーに、自身へのファクス送信要求を送信させ、サーバーから送信された自身へのファクス送信要求に従って受信データをファクス送信する、つまり受信データをファクス転送する。このとき、ファクス送信要求がサーバーを経由しているため、ファクス転送が発生したことがサーバーに記録として残る。これにより、サーバーにアクセスすることでファクス転送に関する情報を得られる環境をユーザーに提供することができる。
【０００８】
本発明の態様の１つは、ファクス装置は、前記受信データをファクス送信する場合に、前記受信データを保持する保持部をさらに備え、前記ファクス通信部は、前記サーバーから受信した前記ファクス送信要求に従って、前記保持された受信データをファクス送信するとしてもよい。
当該構成によれば、受信データ自体はサーバーへ送信しないため、ファクス装置とサーバーと間の通信量を抑制することができる。
【０００９】
本発明の態様の１つは、前記通信部は、前記受信データをファクス送信する場合に、前記受信データを前記ネットワークを介してアクセス可能な所定の記憶領域に保存し、自身の指定および前記保存した受信データの所在情報を含んだ前記ファクス送信要求を前記サーバーへ送信し、前記サーバーから受信した前記ファクス送信要求に含まれる前記所在情報に基づいて取得した受信データを前記ファクス通信部にファクス送信させるとしてもよい。
当該構成によれば、受信データを前記記憶領域に残すことができる。
【００１０】
本発明の態様の１つは、前記通信部は、前記受信データをファクス送信した送信結果を前記サーバーへ送信するとしてもよい。
当該構成によれば、ファクス転送の結果がサーバーに記録として残る。
【００１１】
本発明の技術的思想は、ファクス装置というカテゴリー以外によっても実現される。例えば、ファクス送受信機能を有するデバイスと、当該デバイスを制御するサーバーとがネットワークを介して接続されたファクスシステムであって、前記デバイスは、自身をファクス送信可能なデバイスとして前記サーバーに登録し、前記サーバーは、登録済みのデバイスを指定したファクス送信要求を受信した場合に、指定されたデバイスへ前記ファクス送信要求を送信し、前記デバイスは、受信した前記ファクス送信要求に従ってファクス送信を実行可能であり、さらに前記デバイスは、ファクス受信した受信データをファクス送信する場合に、自身を指定したファクス送信要求を前記サーバーへ送信するファクスシステムを、一つの発明として把握することができる。
また、ファクスシステムを構成するサーバーも発明として成立する。むろん、サーバー、ファクス装置（デバイス）のそれぞれが実行する処理をそれぞれ方法の発明として把握したり、サーバー、ファクス装置（デバイス）のそれぞれに処理を実行させるための各プログラムや、これら各プログラムを記憶したコンピューター読み取り可能な記憶媒体も発明として把握することができる。
【図面の簡単な説明】
【００１２】
【図１】システムの概略を示す図。
【図２】サーバーへデバイスを登録する登録処理を示す図。
【図３】リモートファクス送信処理を示すフローチャート。
【図４】デバイスリストを含んだデバイス選択画面の一例を示す図。
【図５】送信設定画面の一例を示す図。
【図６】“ダウンロード”が指定された場合のリモートファクス送信処理の一部を示すフローチャート。
【図７】“原稿スキャン”が指定された場合のリモートファクス送信処理の一部を示すフローチャート。
【図８】“保持データ取得”が指定された場合のリモートファクス送信処理の一部を示すフローチャート。
【図９】ファクス転送処理を示すフローチャート。
【図１０】送信結果画面の一例を示す図。
【図１１】変形例２にかかるフローチャート。
【図１２】変形例３にかかるフローチャート。
【発明を実施するための形態】
【００１３】
以下、各図を参照しながら本発明の実施形態を説明する。各図は、本実施形態を説明するための例示に過ぎない。
【００１４】
１．システムの構成：
図１は、本実施形態にかかるシステム１の概略を示している。システム１は、ファクスシステムの一例である。システム１は、少なくともデバイス１０と、デバイス１０を制御するサーバー２０とを含む。また、システム１は、サーバー２０のクライアント端末（端末３０）を含むとしてもよい。デバイス１０のユーザーは、端末３０を任意に操作する。デバイス１０、サーバー２０および端末３０はいずれもネットワークＮＷに接続している。ネットワークＮＷは、インターネットやインターネットに接続するローカルネットワーク（ＬＡＮ）等を含み得る。ネットワークＮＷは、有線無線を問わない。図１では、ネットワークＮＷに接続するデバイス１０、端末３０をそれぞれ１台ずつ例示しているが、デバイス１０、端末３０はそれぞれが複数台存在し得る。
【００１５】
デバイス１０は、ファクス送受信機能を有するファクス装置である。デバイス１０を、単に、ファクスあるいはファクシミリと呼んでもよい。デバイス１０は、ファクス送受信機能に加えプリンターやコピー機等としても機能するいわゆる複合機であってもよい。デバイス１０は、通信インターフェイス（Ｉ／Ｆ）１１、制御部１２、ファクス（ＦＡＸ）通信部１３、記憶部１４等を含んでいる。通信Ｉ／Ｆ１１および制御部１２をまとめて通信部と呼んでもよい。
【００１６】
制御部１２は、例えば、ＣＰＵやメモリー等を有するＩＣや、その他の電子回路等により構成される。制御部１２では、ＣＰＵが、プログラム（例えば、ファームウェアＦＷ）に従った演算処理を実行することにより、サーバー２０との通信を介して後述するような各処理を実現する。ＦＡＸ通信部１３は、ファクス送受信機能、つまり電話回線等の所定の通信回線を通じた画像（文字、写真、ＣＧ、その他あらゆるオブジェクトを含み得る画像）の伝送を実現する手段である。ＦＡＸ通信部１３によるファクス送受信機能は公知であるため詳しい説明は省略する。むろん、デバイス１０は、一般的なファクス装置が有するあらゆる機能を有し得る。
【００１７】
サーバー２０は、インターネットを通じて各ユーザーにサービスを提供するサーバーである。例えば、サーバー２０は、クラウドサービスを提供するクラウド環境の一部（仮想サーバー）として実現される。サーバー２０を、クラウドサーバーと呼んでもよい。あるいは、サーバー２０は、物理サーバーであってもよい。上述したＧＣＰを提供するサーバーは、サーバー２０の一例に該当する。サーバー２０は、通信Ｉ／Ｆ２１、制御部２２、記憶部２３等を含んでいる。制御部２２は、例えば、ＣＰＵやメモリー等を有するＩＣや、その他の電子回路等により構成される。制御部２２では、ＣＰＵが、プログラム（例えば、ファクス制御プログラム２２ａ）に従った演算処理を実行することにより、デバイス１０や端末３０との通信を介して後述するような各処理を実現する。
【００１８】
端末３０は、例えば、パーソナルコンピューター（ＰＣ）、スマートフォン、タブレット型端末、携帯電話、あるいはそれらと同様の性能を有する端末によって実現される。端末３０は、通信Ｉ／Ｆ３１、制御部３２、操作入力部３３、表示部３４、記憶部３５等を含んでいる。制御部３２は、例えば、ＣＰＵやメモリー等を有するＩＣや、その他の電子回路等により構成される。制御部３２では、ＣＰＵが、プログラム（例えば、アプリケーション３２ａ）に従った演算処理を実行することにより、サーバー２０との通信を介して後述するような各処理を実現する。
【００１９】
操作入力部３３は、ユーザーによる操作を受け付けるための、例えば、マウス、キーボード、各種ボタンやキー等を含む。表示部３４は、ユーザーに対して各種情報を示すための部位であり、例えば、液晶ディスプレイ（ＬＣＤ）により構成される。操作入力部３３の少なくとも一部は、表示部３４に表示されるタッチパネルにより実現されるとしてもよい。
【００２０】
通信Ｉ／Ｆ１１，２１，３１は、デバイス１０、サーバー２０、端末３０が各々有する、ネットワークＮＷを通じて外部と通信するためのインターフェイスである。通信Ｉ／Ｆ１１，２１，３１はそれぞれ所定の通信プロトコル（例えば、ＴＣＰ／ＩＰ、ＨＴＴＰ等）に従って通信を実現する。デバイス１０は、通信Ｉ／Ｆ１１を通じてサーバー２０との通信を行う。端末３０は、通信Ｉ／Ｆ３１を通じてサーバー２０との通信を行う。サーバー２０は、通信Ｉ／Ｆ２１を通じてデバイス１０や端末３０との通信を行う。記憶部１４，２３，３５はそれぞれ、ハードディスクドライブやフラッシュメモリー等の記憶装置によって構成される。
【００２１】
２．サーバーへのデバイス登録処理：
図２は、サーバー２０へデバイス１０を登録する登録処理を、サーバー２０、デバイス１０それぞれが実行する処理により示している。デバイス１０（制御部１２）は、自身をファクス送信可能なデバイスとして登録することをサーバー２０に要求する（ステップＳ１０）。このような要求を登録要求と呼ぶ。デバイス１０は、当該登録要求に、ファクス送信に関して対応可能な自身の送信設定情報を添付してサーバー２０へ送信する。
【００２２】
送信設定情報には、例えば、送信可能な画像データの解像度（画質）の情報、カラー画像を送信可能であるか否かの情報、ファクス送信可能な宛先の一覧情報（宛先リスト）、実施可能な画像データの取得方法、等が含まれる。実施可能な画像データの取得方法には、例えば、“添付データ取得”、“ダウンロード”、“原稿スキャン”、“保持データ取得”の４種類が挙げられる。
【００２３】
“添付データ取得”とは、受信したファクス送信要求に添付されている画像データを当該ファクス送信要求から取得する処理である。
“ダウンロード”とは、受信したファクス送信要求に記載されている所在情報（URI：Uniform Resource Identifier）に基づいてネットワークＮＷを介して画像データを外部からダウンロードすることにより取得する処理である。
“原稿スキャン”とは、デバイス１０が備える不図示の原稿台や原稿トレイにセットされた原稿の読取処理を実行することにより当該原稿の読取結果（画像データ）を取得する処理である。
“保持データ取得”とは、デバイス１０が保持する画像データの中からある画像データを選択することにより取得する処理である。デバイス１０が保持する画像データとは、デバイス１０が有する記憶部１４に予め保存されている画像データのことであり、例えば、定型的な文書や、頻繁に使用される地図データ等が想定される。
【００２４】
サーバー２０（制御部２２）は、デバイス１０から登録要求を受信すると（ステップＳ２０）、前記登録要求の送信元のデバイス１０をファクス送信可能なデバイスとして登録するとともに、前記登録要求に添付されている送信設定情報を、この登録したデバイス１０に紐づけて登録する（ステップＳ２１）。あるデバイス１０をファクス送信可能なデバイスとして登録するとは、例えば、記憶部２３に保存されている、サーバー２０がネットワークＮＷを介した制御対象として登録済みのデバイスの一覧情報（デバイスリストＤＬ）に、当該デバイス１０をファクス送信可能なデバイスとして追加する処理を指す。デバイスリストＤＬは、デバイス１台毎に、そのデバイスを識別するための情報の組み合わせ（例えば、ファクス送信可能なデバイスであるか否かを示す特定の情報、製品名、ＭＡＣアドレス、ＩＰアドレス、等の組み合わせ）を記述した情報である。また、送信設定情報をデバイス１０に紐づけて登録するとは、デバイスリストＤＬに追加したデバイス１０に、当該デバイス１０の送信設定情報を紐づけて記憶部２３に保存する処理を指す。
【００２５】
デバイス１０は、自身が実施可能な画像データの取得方法の中に“保持データ取得”を含んでいる場合には、自身が保持する画像データの一覧情報（保持画像リスト）を前記送信設定情報に含めて、前記登録要求と共にサーバー２０へ送信する。これにより、サーバー２０は、ファクス送信可能なデバイスとして登録したデバイス１０に当該デバイス１０の保持画像リストを含んだ送信設定情報を紐づけて登録することになる。保持画像リストは、例えば、１台のデバイス１０が保持する各画像データのファイル名や生成日時といった画像データを識別可能な情報を列挙したリストである。
上述したようにネットワークＮＷに接続するデバイス１０が複数台存在する場合には、このようなデバイス登録処理はデバイス１０毎に適時実行される。
【００２６】
３．リモートファクス送信処理：
次に、システム１を利用したリモートファクス送信処理について説明する。リモートファクス送信処理を実行する前提として、１台以上のデバイス１０に関する上述のデバイス登録処理が実行済みであるとする。
図３は、リモートファクス送信処理を示すフローチャートである。図３では、説明の便宜上、端末３０、サーバー２０、デバイス１０が各々実行する処理を並列的に示している。リモートファクス送信処理の詳細は、図４〜８等も併せて参照して説明する。
【００２７】
先ず、端末３０（制御部３２）は、アプリケーション３２ａを起動させる（ステップＳ１００）。つまり、ユーザーが端末３０を操作することにより、アプリケーション３２ａの機能を有効化させる。アプリケーション３２ａは、リモートファクス送信処理のために生成された専用のソフトウェアである。以下において、リモートファクス送信処理に関して端末３０が実行する処理は、基本的にはアプリケーション３２ａの機能により実現される処理である。ただし、リモートファクス送信処理に関して端末３０が実行する処理はアプリケーション３２ａではなく、端末３０が搭載するウェブブラウザーの機能により実現されてもよい。
【００２８】
次に、端末３０は、サーバー２０が有する上述のデバイスリストＤＬを表示部３４に表示させる（ステップＳ１１０）。この場合、端末３０は、デバイスリストＤＬの送信をサーバー２０に要求する。当該要求を受けたサーバー２０（制御部２２）は、現時点で記憶部２３に保存している最新のデバイスリストＤＬを当該要求の送信元の端末３０へ送信する。この結果、端末３０は、デバイスリストＤＬを取得し、表示部３４に表示させることができる。
【００２９】
デバイスリストＤＬには、サーバー２０がネットワークＮＷを介した制御対象としているデバイスであって、ファクス送信可能なデバイスに該当しないデバイスが含まれている可能性がある。例えば、ファクス送受信機能を有さないプリンターや、ファクス送受信機能を有さないスキャナー等が、デバイスリストＤＬに含まれていることがある。このような状況を鑑みて、ステップＳ１１０では、端末３０は、サーバー２０から受信したデバイスリストＤＬの中からファクス送信可能なデバイスのみを抽出し、この抽出したデバイスのリストを表示部３４に表示させるとしてもよい。
【００３０】
あるいは、ステップＳ１１０では、端末３０は、デバイスリストＤＬに含まれるデバイスのうちファクス送信可能なデバイスのリストをサーバー２０に要求するとしてもよい。当該要求を受けたサーバー２０は、最新のデバイスリストＤＬに含まれるデバイスのうちファクス送信可能なデバイスのみを抽出したリストを当該要求の送信元の端末３０へ送信する。この結果、端末３０は、デバイスリストＤＬに含まれるデバイスであってファクス送信可能なデバイスのリストを表示部３４に表示させることができる。いずれにしてもステップＳ１１０では、端末３０は、サーバー２０が有するデバイスリストＤＬの少なくとも一部を表示部３４に表示させると言える。
【００３１】
次に、端末３０は、表示部３４に表示したデバイスリストＤＬの中からデバイス１０の指定を受け付ける（ステップＳ１２０）。つまり、ユーザーは操作入力部３３を操作することにより、表示部３４に表示されているデバイスリストＤＬの中から、ファクス送信を実行させたいデバイス１０を指定し、端末３０は、このような指定を受け付ける。
【００３２】
図４は、ステップＳ１１０で表示部３４に表示された、デバイスリストＤＬを含んだデバイス選択画面ＤＳを例示している。図４に例示したデバイスリストＤＬは、“ＭＦＰ１”、“ＭＦＰ２”、“ＭＦＰ３”という３台のデバイスの製品名を含んでいるとする。これら“ＭＦＰ１”、“ＭＦＰ２”、“ＭＦＰ３”はいずれもファクス送信可能なデバイスであるとする。ユーザーは、操作入力部３３を操作することにより、デバイスリストＤＬからファクス送信を実行させたいデバイス１０（例えば“ＭＦＰ１”）を指定する。
【００３３】
次に、端末３０は、ステップＳ１２０で指定されたデバイス１０によるファクス送信に関する送信設定を受け付ける（ステップＳ１３０）。上述したように、サーバー２０においては、デバイスリストＤＬに登録されたデバイス１０に紐づいて送信設定情報も登録されている。従って、端末３０は、ステップＳ１２０で指定されたデバイス１０に紐づいた送信設定情報をサーバー２０から取得し、その送信設定情報の範囲内で送信設定を受け付ける。
【００３４】
一例として、ステップＳ１２０で“ＭＦＰ１”が指定されたとする。そして、当該指定された“ＭＦＰ１”の送信設定情報によれば、送信可能な画像データの解像度（画質）は“標準（ふつう）”または“高精細（きれい）”のいずれか、カラー画像は“送信可能”、実施可能な画像データの取得方法は“添付データ取得”、“ダウンロード”、“原稿スキャン”、“保持データ取得”の４種類であるとする。ステップＳ１３０では、端末３０は、このような送信設定情報に基づいて、送信設定の項目毎の指定を受け付けるためのユーザーインターフェイス（ＵＩ）画面を表示部３４に表示させる。ユーザーは、操作入力部３３を操作することにより、当該ＵＩ画面を介して、送信設定の項目毎の指定を任意に行い、端末３０は、このような指定を受け付ける。
【００３５】
図５は、ステップＳ１３０においてデバイス１０（例えば“ＭＦＰ１”）に関して受け付けた送信設定を示す送信設定画面ＳＳを例示している。送信設定画面ＳＳも表示部３４に表示される。送信設定画面ＳＳの例によれば、宛先、解像度、カラー／モノクロ、送信データ…、といった項目毎に、ユーザーによる指定を反映した設定がなされている。宛先は、“ＭＦＰ１”の送信設定情報に含まれている宛先リストの中からユーザーが任意に指定した１つ以上の送信先のファクス番号（電話番号）である。また、送信データの欄には、送信データつまりファクス送信の対象とする画像データの取得方法が具体的に設定されている。図５の例では、送信データの欄には、C:\xxx\test.pdf という参照先の情報が設定されており、これは端末３０が有する記憶部３５内の保存場所を示している。つまり、ユーザーが前記ＵＩ画面を通じて、画像データの取得方法として“添付データ取得”を指定し、且つ、添付すべき画像データの参照先を指定することで、このような設定がなされる。
【００３６】
むろん、ユーザーが前記ＵＩ画面を通じて、画像データの取得方法として“ダウンロード”、“原稿スキャン”、“保持データ取得”のいずれかを指定した場合は、送信設定画面ＳＳの送信データの欄には、図５に例示した設定とは異なる設定がなされる。
例えば、ユーザーが画像データの取得方法として“ダウンロード”を指定した場合は、送信設定画面ＳＳの送信データの欄には、上述の所在情報（URI）が設定される。
また、ユーザーが画像データの取得方法として“原稿スキャン”を指定した場合は、送信設定画面ＳＳの送信データの欄には、原稿スキャンを実施すべき旨の指示（原稿スキャン指示情報）が設定される。
また、ユーザーが画像データの取得方法として“保持データ取得”を指定した場合は、送信設定画面ＳＳの送信データの欄には、ステップＳ１２０で指定されたデバイス１０（例えば“ＭＦＰ１”）の送信設定情報に含まれている保持画像リストの中からユーザーが前記ＵＩ画面を通じて任意に指定した画像データを示す情報（保持画像指定情報）が設定される。
【００３７】
端末３０は、上述したような、あるデバイス１０を指定した送信設定を受け付けた後、当該デバイス１０の指定および送信設定の内容を含んだファクス送信要求をサーバー２０へ送信する（ステップＳ１４０）。具体的には、ユーザーは、送信設定画面ＳＳに示された各項目の設定を確認した上で、送信設定画面ＳＳ内の送信ボタンＳＢを操作する。送信ボタンＳＢの操作を契機として、端末３０は、ファクス送信要求をサーバー２０へ送信する。送信設定において図５の例のように画像データの参照先の情報が設定されている場合は、端末３０は、当該参照先から読み出した画像データをファクス送信要求に添付し、この画像データを含めたファクス送信要求をサーバー２０へ送信する。
【００３８】
サーバー２０（制御部２２）は、端末３０から送信されたファクス送信要求を受信（ステップＳ２００）する。そして、サーバー２０は、受信したファクス送信要求を、このファクス送信要求において指定されているデバイス１０（例えば“ＭＦＰ１”）へ送信する（ステップＳ２１０）。ファクス送信要求の送信先となるデバイス１０は、当然、デバイスリストＤＬに登録されているいずれかのデバイスである。
【００３９】
デバイス１０（制御部１２）は、サーバー２０から送信されたファクス送信要求を受信し（ステップＳ３００）、この受信したファクス送信要求に従ってファクス送信を実行する（ステップＳ３１０，Ｓ３２０）。ステップＳ３１０では、デバイス１０は、ファクス送信要求における送信設定（画像データの取得方法）に従って、画像データを取得する。そして、ステップ３２０では、デバイス１０の制御部１２は、ファクス送信要求における送信設定（宛先や解像度等の設定）に従った、ステップＳ３１０で取得した画像データのファクス送信を、ＦＡＸ通信部１３に実行させる。
【００４０】
デバイス１０は、ステップＳ３２０でのファクス送信実行後、ファクス送信結果をサーバー２０へ送信する（ステップＳ３３０）。ファクス送信結果とは、ファクス送信が成功したか不成功であったかを少なくとも示す情報である。サーバー２０は、ファクス送信要求の送信（ステップＳ２１０）に対するレスポンスとしてデバイス１０からファクス送信結果を受信する（ステップＳ２２０）。ファクス送信結果は、ファクス送信の成功／不成功だけでなく、より詳細な情報を含んだレポートであってもよい。当該レポートには、例えば、ファクス送信の宛先、ファクス送信の実行時刻、ファクス送信開始から完了までに要した時間、実行したファクス送信の種別、等が含まれる。ファクス送信の種別は、例えば、ファクス装置つまりデバイス１０自体をユーザーが操作して行う通常のファクス送信や、本実施形態のようにサーバー２０を介在させて行うリモートファクス送信や、後述するファクス転送等である。デバイス１０は、ファクス送信結果としてこのようなレポートを生成しサーバー２０へ送信することができる（ステップＳ３３０）。
【００４１】
端末３０は、ステップＳ１４０でのファクス送信要求の送信後、サーバー２０からファクス送信結果を取得する（ステップＳ１５０）。具体的には、端末３０は、前記ファクス送信要求において指定したデバイス１０のファクス送信結果を、サーバー２０へ要求する。サーバー２０は、端末３０にデバイス１０のファクス送信結果を要求されたとき、当該デバイス１０からファクス送信結果を受信済み（ステップＳ２２０）であれば、この受信済みのファクス送信結果を端末３０へ送信する。一方、端末３０にデバイス１０のファクス送信結果を要求されたとき、当該デバイス１０からファクス送信結果を受信していなければ、サーバー２０は、ファクス送信結果を端末３０へ送信することができない。
【００４２】
端末３０にデバイス１０のファクス送信結果を要求されたときにファクス送信結果を端末３０へ送信することができない場合、サーバー２０は、ファクス送信結果を未受信である旨を端末３０へ通知する。あるいは、デバイス１０からファクス送信結果を受信するまで端末３０へ何らの通知もせず、デバイス１０からファクス送信結果を受信できたら、そのファクス送信結果を端末３０へ送信する。端末３０は、サーバー２０からファクス送信結果を未受信である旨の通知を受けた場合には、繰り返しサーバー２０にファクス送信結果を要求する。端末３０は、サーバー２０から取得したファクス送信結果を表示部３４に表示させることにより、ユーザーにファクス送信結果を知らせることができる。
なお、サーバー２０は、デバイス１０からファクス送信結果を受信するたびにデバイス１０毎にファクス送信結果を蓄積し、端末３０からのファクス送信結果の要求に対し、指定されたデバイス１０にかかるファクス送信結果の一覧を提供するとしてもよい。
【００４３】
ここで、ユーザーが送信設定において任意に指定する画像データの取得方法毎の詳細な説明を行う。
“添付データ取得”が指定された場合：
デバイス１０は、ステップＳ３００でサーバー２０から受信したファクス送信要求に画像データが添付されている場合、この添付されている画像データをファクス送信すべき送信データとしてファクス送信要求から取得する（ステップＳ３１０）。ファクス送信要求に画像データが添付されているということは、送信設定において“添付データ取得”が指定されたことに他ならない。従って、ファクス送信要求に添付されている画像データを取得することは、送信設定に従い画像データを取得することの一例に該当する。
【００４４】
“ダウンロード”が指定された場合：
図６は、図３に示したフローチャートの一部を詳細に示している。図６に示すステップＳ１３２，Ｓ１３４は、ステップＳ１３０（図３）の処理に含まれる可能性の有る一部の処理である。図６（および後述の図７，８）では、ステップＳ１００〜Ｓ１２０の記載を省略している。また、図６（および図７，８）に関しては、図３と共通する記載の説明は省略する。
【００４５】
上述したようにユーザーが前記ＵＩ画面を通じて、画像データの取得方法として“ダウンロード”を指定した場合、端末３０は、例えば、記憶部３５に保存されている画像データの中から任意の指定をユーザーから受け付け、指定された画像データを、ネットワークＮＷを介してアクセス可能な所定の記憶領域へアップロードする（ステップＳ１３２）。ここで言う所定の記憶領域とは、例えば、ネットワークＮＷに接続しているサーバー２０や、サーバー２０とは別のサーバー４０（図１参照）が有する記憶領域である。このように画像データをアップロードした端末３０は、当該画像データのアップロード先の記憶領域のアドレス、つまり所在情報（URI）を、送信設定内の画像データの取得方法として設定する（ステップＳ１３４）。この結果、所在情報（URI）を有する送信設定を含んだファクス送信要求が、端末３０からサーバー２０を介してデバイス１０へ送信される。
【００４６】
デバイス１０は、ステップＳ３００でサーバー２０から受信したファクス送信要求に含まれる送信設定において所在情報（URI）が設定されている場合、この所在情報（URI）に基づいて画像データをダウンロードする（ステップＳ３１０）。つまり、所在情報（URI）が示す前記所定の記憶領域へネットワークＮＷを介してアクセスし、そこに保存されている画像データを取得する。ファクス送信要求に含まれる送信設定に所在情報（URI）が設定されているということは、送信設定において“ダウンロード”が指定されたことに他ならない。従って、所在情報（URI）に基づいて画像データをダウンロードすることは、送信設定に従い画像データを取得することの一例に該当する。
【００４７】
“原稿スキャン”が指定された場合：
図７は、図３に示したフローチャートの一部を詳細に示している。図７に示すステップＳ１３６は、ステップＳ１３０（図３）の処理に含まれる可能性の有る一部の処理である。上述したようにユーザーが前記ＵＩ画面を通じて、画像データの取得方法として“原稿スキャン”を指定した場合、端末３０は、原稿スキャン指示情報を送信設定内の画像データの取得方法として設定する（ステップＳ１３６）。この結果、原稿スキャン指示情報を有する送信設定を含んだファクス送信要求が、端末３０からサーバー２０を介してデバイス１０へ送信される。
【００４８】
デバイス１０は、ステップＳ３００でサーバー２０から受信したファクス送信要求に含まれる送信設定において原稿スキャン指示情報が設定されている場合、原稿スキャン指示情報に従い原稿の読取処理を実行することにより当該原稿の読取結果（画像データ）を取得する（ステップＳ３１０）。ファクス送信要求に含まれる送信設定に原稿スキャン指示情報が設定されているということは、送信設定において“原稿スキャン”が指定されたことに他ならない。従って、原稿スキャン指示情報に従って原稿を読み取ることは、送信設定に従い画像データを取得することの一例に該当する。
【００４９】
“保持データ取得”が指定された場合：
図８は、図３に示したフローチャートの一部を詳細に示している。図８に示すステップＳ１３８は、ステップＳ１３０（図３）の処理に含まれる可能性の有る一部の処理である。上述したようにユーザーが前記ＵＩ画面を通じて、画像データの取得方法として“保持データ取得”を指定した場合、端末３０は、保持画像指定情報を送信設定内の画像データの取得方法として設定する（ステップＳ１３８）。この結果、保持画像指定情報を有する送信設定を含んだファクス送信要求が、端末３０からサーバー２０を介してデバイス１０へ送信される。
【００５０】
デバイス１０は、ステップＳ３００でサーバー２０から受信したファクス送信要求に含まれる送信設定において保持画像指定情報が設定されている場合、保持画像指定情報に従い、記憶部１４に保存している画像データの中から画像データを取得する（ステップＳ３１０）。ファクス送信要求に含まれる送信設定に保持画像指定情報が設定されているということは、送信設定において“保持データ取得”が指定されたことに他ならない。従って、保持画像指定情報に従って記憶部１４から画像データを取得することは、送信設定に従い画像データを取得することの一例に該当する。
【００５１】
このように本実施形態によれば、デバイス１０は、自身をファクス送信可能なデバイスとしてサーバー２０に登録する（図２参照）。また、サーバー２０は、登録済みのデバイス１０を指定したファクス送信要求を端末３０から受信した場合に、指定されたデバイス１０へファクス送信要求を送信し（ステップＳ２００，Ｓ２１０）、デバイス１０は、受信したファクス送信要求に従ってファクス送信を実行する（ステップＳ３００〜Ｓ３２０）。つまり、インターネットを通じて各ユーザーにサービスを提供するサーバーであるサーバー２０（クラウドサーバー）にファクス送信可能なデバイス１０を登録する環境をユーザーに提供した。これによりユーザーは、端末３０を操作してサーバー２０へアクセスし、サーバー２０に登録されているいずれかのデバイス１０を指定したファクス送信要求をサーバー２０へ送信することにより、サーバー２０を介して当該指定にかかるデバイス１０にファクス送信要求に基づくファクス送信を実行させることができる。なお、インターネットを通じて各ユーザーにサービスを提供するサーバーであるサーバー２０は常時稼働しているため、ユーザーは、いつでも好きな時に、端末３０を操作してサーバー２０を介したファクス送信要求をデバイス１０へ送信することができる。
【００５２】
４．ファクス転送処理：
次に、システム１を利用したファクス転送処理について説明する。ファクス転送処理とは、デバイス１０が外部からファクス送信された画像データをファクス受信したとき、当該受信した画像データ（以下、受信データ）を、予め設定してある送信先へ自動的にファクス送信する処理である。本実施形態では、デバイス１０は、ファクス転送モードという特定の動作モードを有しており、このファクス転送モードが有効化されている場合に限って、ファクス転送処理を実行する。
【００５３】
図９は、ファクス転送処理を示すフローチャートである。図９を説明する前提として、デバイス１０はファクス転送モードが有効化されているとする。また、図９の説明にあたっては、図３と共通する記載の説明は適宜省略する。
【００５４】
デバイス１０は、外部からファクス送信された画像データをＦＡＸ通信部１３によりファクス受信する（ステップＳ３０）。すると、デバイス１０（制御部１２）は、ファクス受信した受信データのファクス送信を実行させるデバイスとして自身を指定したファクス送信要求をサーバー２０へ送信する（ステップＳ３１）。つまり、デバイス１０（制御部１２）は、ファクス転送モード下では、ファクス受信したことを契機として、これまで説明したようなサーバー２０へファクス送信要求を送信する端末３０（制御部３２）と同様の振る舞いをする。ただし、端末３０がデバイスリストＤＬに登録されているファクス送信可能なデバイス１０の中からユーザーの任意の操作に応じてデバイス１０を指定するのに対し、ファクス転送モード下でファクス受信したデバイス１０は、自動的に自身を指定する。
【００５５】
ファクス転送処理においては、サーバー２０へ送信するファクス送信要求に含める送信設定（宛先、解像度、画像データの取得方法…等）は予め特定の送信設定とされおり、ステップＳ３１では、デバイス１０の指定および当該特定の送信設定の内容を含んだファクス送信要求をサーバー２０へ送信する。ファクス転送処理で採用され得る画像データの取得方法は、上述した“添付データ取得”、“ダウンロード”、“保持データ取得”の３種類のうちのいずれかである。例えば、前記特定の送信設定において、画像データの取得方法が“添付データ取得”に指定されている場合、デバイス１０は、受信データをファクス送信要求に添付し、受信データを含めたファクス送信要求をサーバー２０へ送信する（ステップＳ３１）。
【００５６】
あるいは、前記特定の送信設定において、画像データの取得方法が“ダウンロード”に指定されている場合、デバイス１０は、受信データを、ネットワークＮＷを介してアクセス可能な所定の記憶領域（例えば、ネットワークＮＷに接続しているサーバー２０や、サーバー２０とは別のサーバー４０が有する記憶領域）へアップロードする。そして、当該アップロード先の記憶領域のアドレス、つまり所在情報（URI）を、送信設定内の画像データの取得方法として設定する。この結果、受信データの所在情報（URI）を有する送信設定を含んだファクス送信要求が、デバイス１０からサーバー２０へ送信される（ステップＳ３１）。
【００５７】
あるいは、前記特定の送信設定において、画像データの取得方法が“保持データ取得”に指定されている場合、デバイス１０は、受信データを記憶部１４（保持部）に保存するとともに、当該受信データを指定する保持画像指定情報を、送信設定内の画像データの取得方法として設定する。この結果、受信データを指定する保持画像指定情報を有する送信設定を含んだファクス送信要求が、デバイス１０からサーバー２０へ送信される（ステップＳ３１）。
【００５８】
サーバー２０（制御部２２）は、ステップＳ２００でデバイス１０から受信したファクス送信要求を、当該ファクス送信要求において指定されているデバイス１０、つまり当該ファクス送信要求の送信元であるデバイス１０へ送信する（ステップＳ２１０）。
【００５９】
デバイス１０（制御部１２）は、サーバー２０から送信されたファクス送信要求を受信し（ステップＳ３００）、受信したファクス送信要求に従ってファクス送信を実行する（ステップＳ３１０，Ｓ３２０）。ステップＳ３１０では、デバイス１０は、ファクス送信要求における送信設定（画像データの取得方法）に従って受信データを取得する。つまり、デバイス１０は、ステップＳ３００でサーバー２０から受信したファクス送信要求に受信データが添付されている場合、この添付されている受信データをファクス送信要求から取得する（ステップＳ３１０）。
【００６０】
あるいは、デバイス１０は、ステップＳ３００でサーバー２０から受信したファクス送信要求に含まれる送信設定において所在情報（URI）が設定されている場合、この所在情報（URI）に基づいてネットワークＮＷを介して受信データをダウンロードする（ステップＳ３１０）。あるいは、デバイス１０は、ステップＳ３００でサーバー２０から受信したファクス送信要求に含まれる送信設定において受信データを指定する保持画像指定情報が設定されている場合、保持画像指定情報に従い、記憶部１４に保存している受信データを取得する（ステップＳ３１０）。ステップ３２０では、デバイス１０の制御部１２は、サーバー２０から受信したファクス送信要求に含まれる送信設定（前記特定の送信設定）において設定されている宛先への、ステップＳ３１０で取得した受信データのファクス送信を、ＦＡＸ通信部１３に実行させる。
【００６１】
図９では記載を省略しているが、端末３０（制御部３２）は、当然、図３，６〜８に示すようにファクス送信結果をサーバー２０から取得する（ステップＳ１５０）ことにより、ファクス転送処理の結果を表示部３４を介してユーザーに提示することができる。
【００６２】
図１０は、端末３０がステップＳ１５０の後に表示部３４に表示させる送信結果画面ＳＲの例である。送信結果画面ＳＲは、あるデバイス１０（例えば“ＭＦＰ１”）のファクス送信結果の一覧を示している。送信結果画面ＳＲでは、例えば、ファクス送信要求毎に対応する、ファクス送信の実行時刻（日時）、ファクス送信の種別、ファクス送信の成功／不成功、ファクス送信の宛先、等が示されている。図１０の例によれば、“リモート送信”、“転送”といったように、あるデバイス１０が実行したファクス送信の種別が示されており、ユーザーは、送信結果画面ＳＲを見ることにより、リモートファクス送信や、ファクス転送がそれぞれ実行されたことを知ることができる。
【００６３】
なお、デバイス１０は、サーバー２０からファクス送信要求を受信して実行したファクス送信については、原則的にはリモートファクス送信であると認識する。しかし、ステップＳ３１（図９）で自身を指定したファクス送信要求をサーバー２０へ送信する際には、ファクス転送であることを識別するためのパラメーターをファクス送信要求内に設定しておく。これにより、デバイス１０は、サーバー２０から受信したファクス送信要求に当該パラメーターが設定されている場合には、リモートファクス送信ではなくファクス転送であると認識することができる。この結果、デバイス１０は、ステップＳ３３０でサーバー２０へファクス送信結果を送信する際に、ファクス送信の種別の情報も正確に含めて送信することができる。
【００６４】
このように本実施形態によれば、デバイス１０は、ファクス転送する場合は、自身を指定したファクス送信要求をサーバー２０へ送信する（ステップＳ３０，３１）。サーバー２０は、登録済みのデバイス１０を指定したファクス送信要求を受信した場合に、指定されたデバイス１０へファクス送信要求を送信し（ステップＳ２００，Ｓ２１０）、デバイス１０は、受信したファクス送信要求に従ってファクス送信を実行する（ステップＳ３００〜Ｓ３２０）。つまりデバイス１０は、ファクス受信したとき、自身を指定したファクス送信要求をサーバー２０へ送信することにより、サーバー２０に、自身へのファクス送信要求を送信させ、サーバー２０から送信された自身へのファクス送信要求に従って受信データをファクス送信することができる。このとき、ファクス送信要求がサーバー２０を経由しているため、ファクス転送が発生したことがサーバー２０に何らかの形で記録として残る。これにより、サーバー２０にアクセスすることでファクス転送に関する情報を得られる環境をユーザーに提供することができる。
【００６５】
また本実施形態によれば、デバイス１０は、ファクス転送に関する画像データの取得方法として“保持データ取得”が指定されている場合、受信データを記憶部１４に保存し、サーバー２０から受信したファクス送信要求に従って当該受信データをファクス送信する。このような構成によれば、受信データ自体はサーバー２０へ送信しないため、ファクス転送に際して、デバイス１０とサーバー２０と間の通信量を抑制することができる。
【００６６】
また本実施形態によれば、デバイス１０は、ファクス転送に関する画像データの取得方法として“ダウンロード”が指定されている場合、受信データをネットワークＮＷを介してアクセス可能な所定の記憶領域に保存し、自身の指定および前記保存した受信データの所在情報（URI）を含んだファクス送信要求をサーバー２０へ送信する。そして、サーバー２０から受信したファクス送信要求に含まれる所在情報（URI）に基づいてダウンロードした受信データをファクス送信する。このような構成によれば、デバイス１０がファクス転送する受信データを、デバイス１０とは異なる所定の記憶領域（例えば、ネットワークＮＷに接続しているサーバー２０や、サーバー２０とは別のサーバー４０が有する記憶領域）に残しておくことができる。また、ダウンロードの対象となる受信データをサーバー２０とは別のサーバー４０にアップロードしておくことで、サーバー２０の記憶容量の消費を抑えることができる。また、デバイス１０は、ファクス転送に関する画像データの取得方法として“添付データ取得”が指定されている場合は、受信データを一度サーバー２０へ送信するため、受信データをサーバー２０に残しておくことができる。
【００６７】
また本実施形態によれば、デバイス１０は、受信データをファクス送信した送信結果をサーバー２０へ送信する。これにより、ファクス転送の結果がサーバー２０に記録として残り、ユーザーにファクス転送の結果を容易に提示することができる。
【００６８】
５．変形例：
本発明は、上述した実施形態に限られず、後述するような各変形例を採用可能である。むろん、各実施形態や各変形例の組み合わせも本願の開示範囲に含まれる。以下では、既に説明した事項と共通する事項については説明を省略する。
【００６９】
変形例１：
これまでは、端末３０やデバイス１０がサーバー２０へ送信するファクス送信要求や、サーバー２０がデバイス１０へ送信するファクス送信要求には、ファクス送信対象としての画像データ（受信データを含む。以下同様。）が添付されていたり、画像データをダウンロードするための所在情報（URI）が送信設定の一項目として設定されていたりすると説明した。しかし、端末３０やデバイス１０やサーバー２０は、ファクス送信要求を送信する際、これら画像データや所在情報（URI）を、ファクス送信要求とは分けて送信するとしてもよい。また、デバイス１０は、ファクス送信対象としての画像データの取得（ステップＳ３１０）と、画像データのファクス送信（ステップＳ３２０）とを同時に進行してもよい。つまりデバイス１０は、サーバー２０から（ファクス送信要求に添付される等して）送信される画像データを受信しながら、あるいは、前記所定の記憶領域から画像データをダウンロードしながら、あるいは、原稿をスキャンしながら、取得できた画像データを順次ファクス送信する（ダイレクト送信する）、としてもよい。
【００７０】
変形例２：
図１１は、変形例２にかかるリモートファクス送信処理の一部を示すフローチャートである。ただし図１１は、図９に示すファクス転送処理のフローチャートの一部分に対する変形例としても用いることができる。デバイス１０は、ステップＳ３３０（図３，６〜９）の替わりにステップＳ３３２，Ｓ３３４を実行し、サーバー２０は、ステップＳ２２０（図３，６〜９）の替わりにステップＳ２２２を実行し、端末３０は、ステップＳ１５０（図３，６〜８）の替わりにステップＳ１５２，Ｓ１５４を実行するとしてもよい。なお、変形例２（および後述の変形例３）におけるファクス送信結果は、上述したレポートを指すものとする。
【００７１】
デバイス１０は、ステップＳ３２０でのファクス送信実行後、ファクス送信結果を、ネットワークＮＷを介してアクセス可能な所定の記憶領域へアップロードする（ステップＳ３３２）。所定の記憶領域とは、例えば、ネットワークＮＷに接続しているサーバー２０や、サーバー２０とは別のサーバー４０（図１参照）が有する記憶領域である。次に、デバイス１０は、ファクス送信結果のアップロード先の記憶領域のアドレス、つまりファクス送信結果の所在情報（URI）を、ファクス送信要求の送信（ステップＳ２１０）に対するレスポンスとしてサーバー２０へ送信する（ステップＳ３３４）。サーバー２０は、ファクス送信要求の送信（ステップＳ２１０）に対するレスポンスとしてデバイス１０からファクス送信結果の所在情報（URI）を受信する（ステップＳ２２２）。
【００７２】
端末３０は、サーバー２０からファクス送信結果の所在情報（URI）を取得する（ステップＳ１５２）。具体的には、端末３０は、あるデバイス１０を指定し、当該デバイス１０のファクス送信結果の所在情報（URI）を、サーバー２０へ要求する。サーバー２０は、端末３０にデバイス１０のファクス送信結果の所在情報（URI）を要求されたとき、当該デバイス１０からファクス送信結果の所在情報（URI）を受信済み（ステップＳ２２２）であれば、この受信済みのファクス送信結果の所在情報（URI）を端末３０へ送信する。一方、端末３０にデバイス１０のファクス送信結果の所在情報（URI）を要求されたとき、当該デバイス１０からファクス送信結果の所在情報（URI）を受信していなければ、サーバー２０は、ファクス送信結果の所在情報（URI）を端末３０へ送信することができない。
【００７３】
端末３０にデバイス１０のファクス送信結果の所在情報（URI）を要求されたときにファクス送信結果の所在情報（URI）を端末３０へ送信することができない場合、サーバー２０は、ファクス送信結果の所在情報（URI）を未受信である旨を端末３０へ通知する。あるいは、デバイス１０からファクス送信結果の所在情報（URI）を受信するまで端末３０へ何らの通知もせず、デバイス１０からファクス送信結果の所在情報（URI）を受信できたら、そのファクス送信結果の所在情報（URI）を端末３０へ送信する。端末３０は、サーバー２０からファクス送信結果の所在情報（URI）を未受信である旨の通知を受けた場合には、繰り返しサーバー２０にファクス送信結果の所在情報（URI）を要求する。端末３０は、サーバー２０から取得したファクス送信結果の所在情報（URI）に基づいて、ネットワークＮＷを介してファクス送信結果をダウンロードする（ステップＳ１５４）。端末３０は、このようにダウンロードしたファクス送信結果を表示部３４に表示させることにより、ユーザーにファクス送信結果を知らせることができる。
【００７４】
変形例３：
図１２は、変形例３にかかるリモートファクス送信処理の一部を示すフローチャートである。ただし図１２は、図９に示すファクス転送処理のフローチャートの一部分に対する変形例としても用いることができる。サーバー２０は、ステップＳ２２０（図３，６〜９）の後に、ステップＳ２２４を実行し、端末３０は、変形例２（図１１）と同様にステップＳ１５０（図３，６〜８）の替わりにステップＳ１５２，Ｓ１５４を実行するとしてもよい。変形例２（図１１）では、ファクス送信結果のアップロードをデバイス１０が実行したが、変形例３（図１２）では、ファクス送信結果のアップロードをサーバー２０が実行する。つまり、サーバー２０は、ファクス送信結果受信（ステップＳ２２０）の後、ファクス送信結果をネットワークＮＷを介してアクセス可能な所定の記憶領域へアップロードする（ステップＳ２２４）。その後、サーバー２０は、端末３０からの要求（ステップＳ１５２）に応じて、ファクス送信結果のアップロード先の記憶領域のアドレス、つまりファクス送信結果の所在情報（URI）を端末３０へ送信する。なお、サーバー２０によるファクス送信結果のアップロード先がサーバー２０内の記憶領域であれば、実質的にアップロードの処理を省くことができる。
【符号の説明】
【００７５】
１…システム、１０…デバイス（ファクス装置）、１１…通信Ｉ／Ｆ、１２…制御部、１３…ＦＡＸ通信部、１４…記憶部、２０…サーバー、２１…通信Ｉ／Ｆ、２２…制御部、２２ａ…ファクス制御プログラム、２３…記憶部、３０…端末、３１…通信Ｉ／Ｆ、３２…制御部、３２ａ…アプリケーション、３３…操作入力部、３４…表示部、３５…記憶部、４０…サーバー、ＤＬ…デバイスリスト、ＦＷ…ファームウェア、ＮＷ…ネットワーク
【図１】
2017212666.tif 000003
【図２】
2017212666.tif 000004
【図３】
2017212666.tif 000005
【図４】
2017212666.tif 000006
【図５】
2017212666.tif 000007
【図６】
2017212666.tif 000008
【図７】
2017212666.tif 000009
【図８】
2017212666.tif 000010
【図９】
2017212666.tif 000011
【図１０】
2017212666.tif 000012
【図１１】
2017212666.tif 000013
【図１２】
2017212666.tif 000014